(57)【要約】【課題】ボディ本体部と手掌との接触面積を増やし、フィット感を向上させ、滑りにくく、また、毛剃り刃の肌に対する角度の微調整が手首を動かすことなく簡単に行える。【解決手段】上端部に外刃４と内刃５とを有する毛剃り刃６を備えたヘッド部３をボディ本体部１の上端に設けた電気かみそり２０である。ヘッド部３が突出している側を正面とした正面視において電気かみそり２０の上下方向の略中央部が細くなったトルソー形状となり、該電気かみそり２０の側面視における全体形状が略Ｓ字状をしている。【選択図】　　　　図１
2004073816.tif 000002
【特許請求の範囲】
【請求項１】
上端部に外刃と内刃とを有する毛剃り刃を備えたヘッド部をボディ本体部の上端に設けた電気かみそりであって、ヘッド部が突出している側を正面とした正面視において電気かみそりの上下方向の略中央部が細くなったトルソー形状となり、該電気かみそりの側面視における全体形状が略Ｓ字状をしていることを特徴とする電気かみそり。
【請求項２】
上下方向の２箇所が屈曲部となった側面視Ｓ字状の電気かみそりにおいて、正面視において電気かみそりの上下方向の略中央部が細くなったトルソー形状のくびれ部が上記Ｓ字状の上の屈曲部の頂点と下の屈曲部の頂点との間の領域内に位置していることを特徴とする請求項１記載の電気かみそり。
【請求項３】
側面視略く字状のボディ本体部と、このボディ本体部の上端よりボディ本体部のく字状頂点側に斜め上方に屈曲して延設されるヘッド部とから構成され、全体形状を側面視略Ｓ字状として成ることを特徴とする請求項１又は請求項２記載の電気かみそり。
【請求項４】
正面視で上下方向の略中央部が細くなったトルソー形状をした電気かみそりのボディ本体部の略中央部のくびれ部をヘッド部の巾よりも細い細巾部とし、正面視におけるボディ本体部の下端部を全巾中最小巾として成ることを特徴とする請求項１乃至請求項３のいずれかに記載の電気かみそり。
【請求項５】
ヘッド部が突出している側を正面としてボディ本体部の上下方向と直交する断面形状を背面側の曲率が正面側の曲率よりも大きい略Ｄ字型に形成して成ることを特徴とする請求項１乃至請求項４のいずれかに記載の電気かみそり。
【請求項６】
ヘッド部に備えた内刃が往復刃であり、ヘッド部が突出している側を正面とした正面視におけるボディ本体部の上端部の正面部及び背面部を略フラットにして成ることを特徴とする請求項１乃至請求項５のいずれかに記載の電気かみそり。
【請求項７】
ヘッド部が突出している側を正面としてボディ本体部の上下方向と直交する断面形状を背面側の曲率が正面側の曲率よりも大きい略Ｄ字型に形成し、この略Ｄ字型形状の短径軸と長径軸の長さの比率をボディ本体部を把持した際に中指が位置する付近において短径軸：長径軸＝１：約１．５としたことを特徴とする請求項１乃至請求項６のいずれかに記載の電気かみそり。
【請求項８】
ボディ本体部の背面及び側面に不滑性部を設けて成ることを特徴とする請求項１乃至請求項７のいずれかに記載の電気かみそり。
【請求項９】
ボディ本体部の正面に不滑性部を設けて成ることを特徴とする請求項１乃至請求項８のいずれかに記載の電気かみそり。
【請求項１０】
不滑性部が弾性部材で構成してあることを特徴とする請求項８又は請求項９記載の電気かみそり。
【請求項１１】
電気かみそりの背面側にトリマーを操作するための上下スライド自在なトリマー操作部を設け、トリマー操作部に不滑性部を設け、この不滑性部を設けたトリマー操作部をＳ字状の上の屈曲部付近に位置させて成ることを特徴とする請求項１乃至請求項１０のいずれかに記載の電気かみそり。
【発明の詳細な説明】
【０００１】
【発明の属する技術分野】
本発明は、使用中に使いやすく把持しやすい形状をもった電気かみそりに関するものである。
【０００２】
【従来の技術】
電気かみそりの基本構造は、上端部に毛剃り刃を有するヘッド部と、駆動部及び電源部を内蔵するグリップ部となるボディ本体部とからなり、ボディ本体部の上端部にヘッド部を配設し、ボディ本体部の鉛直線上にヘッド部が位置するようになっている。
【０００３】
また、工法・製造上、ボディ本体部の外形形状は略楕円筒状のものが多く、正面、背面ともに対称断面形状となっているものが多い。
【０００４】
上記のようなボディ本体部の形状ではボディ本体部を把持する時、ボディ本体部と手掌の凹凸との間に隙間が生じ、手への十分なフィット感及び保持性能が得られず、このため、滑りやすくホールド性があまいため、肌への押し付けの際に押し付け力にまけてすべり、最適な押し付け力で剃れないという問題があり、また、肌にヘッド部の毛剃り刃を最適な角度で当てるために、腕や肘の多くの動作が必要になって、髭剃り操作が面倒である。
【０００５】
一方、これらと異なる電気かみそりの形状を持つものとして、ヘッド部とグリップ部の軸方向を交差させ、ヘッド部とグリップ部との連結部にくびれ部を形成した従来例が知られている。（例えば、特許文献１）
また、他の従来例として側面視略Ｓ字状をしたものも知られている。（例えば、特許文献２）
【０００６】
【特許文献１】
特開平５−２３４４７号公報
【特許文献２】
特開平７−１８５１４２号公報
【０００７】
【発明が解決しようとする課題】
しかしながら、上記特許文献１、特許文献２に示されるような形状に電気かみそりを構成しても、ボディ本体部と手掌との接触面積を十分に増やすことができず、また、良好なフィット感を得難く、また、滑りやすく、更に、これら従来例においては毛剃り刃の肌に対する角度の調整を行う際に手首を動かして行なわなければならず、また、このように手首を動かして角度調整を行うため、毛剃り刃の肌に対する角度の微調整がし難いという問題がある。
【０００８】
本発明は上記の点に鑑みてなされたものであり、ボディ本体部と手掌との接触面積を増やし、フィット感を向上させ、滑りにくく、また、毛剃り刃の肌に対する角度の微調整が手首を動かすことなく簡単に行えて使いやすい電気かみそりを提供することを課題とするものである。
【０００９】
【課題を解決するための手段】
上記課題を解決するために本発明に係る電気かみそりは、上端部に外刃４と内刃５とを有する毛剃り刃６を備えたヘッド部３をボディ本体部１の上端に設けた電気かみそり２０であって、ヘッド部３が突出している側を正面とした正面視において電気かみそり２０の上下方向の略中央部が細くなったトルソー形状となり、該電気かみそり２０の側面視における全体形状が略Ｓ字状をしていることを特徴とするものである。ここで、上下方向の２箇所が屈曲部となった側面視Ｓ字状の電気かみそり２０において、正面視において電気かみそり２０の上下方向の略中央部が細くなったトルソー形状のくびれ部１ａが上記Ｓ字状の上の屈曲部の頂点１ｂと下の屈曲部の頂点１ｃとの間の領域内に位置しているのが好ましい。
【００１０】
すなわち、正面視において上下方向の略中央部が細くなったトルソー形状と、側面視略Ｓ字状をした電気かみそり２０の背面凸カーブ部９によって人差し指から親指間の接触面積を増やすことが可能となり、また、略Ｓ字状の背面下部の背面凹カーブ部１０で手の大きさにかかわらず手の小指丘１９との接触面積を確保でき、このように、正面視において上下方向の略中央部が細くなったトルソー形状とすると共に側面視略Ｓ字状とすることで、安定把持に重要な小指丘１９と、人差し指から親指間の接触面積を確保できるものであり、また、掴み持ちした場合にトルソー形状のくびれ部１ａに母指丘２６の凸カーブがフィットし、無理なく掴み持ちができるものである。また、電気かみそり２０を掴み持ちする場合、側面視略Ｓ字状をした電気かみそり２０の背面凸カーブ部９によって人差し指から親指間の接触面積を増やした状態でＳ字状の上の屈曲部近傍を親指と人差し指とで掴み、トルソーのくびれ部１ａに母指丘２６の凸カーブをフィットさせ、略Ｓ字状の背面下部の背面凹カーブ部１０に小指丘１９を沿わせた状態で中指と薬指と小指とを電気かみそり２０のトルソーのくびれ部１ａと略Ｓ字状の下の屈曲部に沿わせて掴むという掴み形態ができ、このような掴み形態をした場合には、電気かみそり２０のヘッド部３の毛剃り刃６の肌に対する角度の微調整をするに当たって、トルソー形状のくびれ部１ａ、Ｓ字状の下の屈曲部近傍に沿わせた中指や薬指や小指でくびれ部１ａやＳ字状の正面側に凸となった下の屈曲部近傍を押すことで親指と人差指とで掴んだ部分を支点として電気かみそり２０を前後方向や左右方向に若干回動して毛剃り刃６の肌に対する角度の微調整が容易に行えるものであり、この際、トルソー形状のくびれ部１ａに母指丘２６の凸カーブがフィットしていて電気かみそり２０の側面に母指丘２６の凸カーブ部分が強く圧縮した状態で押し当てられていないので、母指丘２６が上記親指と人差指とで掴んだ部分を支点とする回動の妨げとならず、手首を動かすことなく容易に微調整ができるのである。
【００１１】
また、側面視略く字状のボディ本体部１と、このボディ本体部１の上端よりボディ本体部１のく字状頂点２側に斜め上方に屈曲して延設されるヘッド部３とから構成され、全体形状を側面視略Ｓ字状とすることが好ましい。このような構成とすることで、ボディ本体部１とヘッド部３とで電気かみそり２０の全体形状を側面視略Ｓ字状とすることができるものである。
【００１２】
また、正面視で上下方向の略中央部が細くなったトルソー形状をした電気かみそり２０のボディ本体部１の略中央部のくびれ部１ａをヘッド部３の巾よりも細い細巾部７とし、正面視におけるボディ本体部１の下端部を全巾中最小巾とすることが好ましい。このような構成とすることで、細巾部７により母指丘２６の凸カーブとの接触面積を確保することができ、また、ボディ本体部１の下端部が全巾中最小巾であるので手掌２３で無理なく保持できることになる。
【００１３】
また、ヘッド部３が突出している側を正面としてボディ本体部１の上下方向と直交する断面形状を背面側の曲率が正面側の曲率よりも大きい略Ｄ字型に形成することが好ましい。このような構成とすることで、曲率の大きい円弧である背面側に小丘２４と、人差し指から親指間の円弧がフィットし、また、小丘２４、基節２５及び母指丘２６の接触面積の確保において断面が滑らかでない略長方形の場合、平面部へはフィットしにくく接触面積を確保しにくいが、Ｄ字型の滑らかな形状にすることで平面部をなくし、手掌２３及び指の接触面積を確保している。
【００１４】
また、ヘッド部３に備えた内刃５が往復刃であり、ボディ本体部１のく字状頂点２側を正面とした正面視におけるボディ本体部１の上部の正面部及び背面部を略フラットにすることが好ましい。このような構成とすることで、ボディ本体部１を挟み持ちする場合、ボディ本体部１の上端部の略フラットな正面部及び背面部を親指以外の４指と、親指とで挟み持ちすることで、各指の圧を個別に調整しやすく、電気かみそり２０のアングルを微妙に変化させることが可能となる。
【００１５】
また、ヘッド部３が突出している側を正面視としてボディ本体部１の上下方向と直交する断面形状を背面側の曲率が正面側の曲率よりも大きい略Ｄ字型に形成し、この略Ｄ字型形状の短径軸と長径軸の長さの比率をボディ本体部１を把持した際に中指が位置する付近において短径軸：長径軸＝１：約１．５とすることが好ましい。このような構成とすることで、ボディ本体部１と手の接触面積が最大になる最適寸法比にできるものである。
【００１６】
また、ボディ本体部１の背面及び側面に不滑性部８を設けることが好ましい。このような構成とすることで、背面の不滑性部８により安定把持に重要な小指丘１９と、人差し指から親指間の部分との摩擦を上げることができ、また、側面の不滑性部８により母指丘２６、小丘２４、末節３０〜中節２９の把持性を上げることができ、これにより滑り止めがなされてホールド性、フィット性を向上させることができるものである。
【００１７】
また、ボディ本体部１の正面に不滑性部８を設けることが好ましい。このような構成とすることで、親指及び指の末節３０の摩擦を上げることができ、これにより滑り止めがなされてホールド性、フィット性を向上させることができるものである。
【００１８】
また、不滑性部８が弾性部材で構成してあることが好ましい。このような構成とすることで、簡単な構成で不滑性部８を構成することができるものである。
【００１９】
また、電気かみそり２０の背面側にトリマーを操作するための上下スライド自在なトリマー操作部７０ａを設け、トリマー操作部に不滑性部８を設け、この不滑性部を設けたトリマー操作部７０ａをＳ字状の上の屈曲部付近に位置させることが好ましい。このような構成とすることで、トリマーで際剃りする際、掴み持ち、挟み持ちのいずれの場合においても親指がちょうど電気かみそり２０の略Ｓ字状をした上の屈曲部の背面側に位置するようにして持つことで電気かみそり２０をヘッド部３に近い位置で安定して持ってトリマー操作が行えるのであるが、この場合、親指が不滑性部８を設けたトリマー操作部７０ａに当たる位置となるため、親指によるトリマー操作部７０ａの上下操作が容易に且つ滑ることなく行えることになる。
【００２０】
【発明の実施の形態】
以下、本発明を添付図面に示す実施形態に基づいて説明する。
【００２１】
図１は本発明の電気かみそり２０の側面図を示し、図２は正面図を示し、図４は図１のＡ−Ａ線の断面図を示し、図３は図２のＢ−Ｂ線の断面図を示している。
【００２２】
電気かみそり２０は、図１に示すようにボディ本体部１と、ボディ本体部１の上端から延設したヘッド部３と、ボディ本体部１に設けたスイッチ部１５とで構成してある。
【００２３】
ヘッド部３の上端（先端）には外刃４と内刃５とを有する毛剃り刃６が備えてあり、添付図面に示す実施形態では内刃５が往復移動する往復刃により構成してあり、ヘッド部３は内刃５の往復方向（図２、図４において左右方向）を長手方向とする扁平な略長方形状をしている。
【００２４】
ボディ本体部１の内部には電動モータ１１と、電動モータ１１を駆動するための電源装置１２とが内装してあり、電動モータ１１の回転運動を駆動子１３により往復運動に変換するようになっている。
【００２５】
上記内刃５、外刃４は図３，図４に示すように断面形状が略半円形状をしていて内刃５がばね１４により外刃４に圧接し、メッシュ状の外刃４を肌に当て、外部よりメッシュ状の外刃４から髭を導入し、該髭を内刃５と外刃４とで挟み切りすることで切断するようになっている。
【００２６】
ボディ本体部１の上端にヘッド部３を設けた電気かみそり２０は図１，図２に示すように、ヘッド部３が突出している側を正面とした正面視において電気かみそり２０の上下方向の略中央部が細くなったトルソー形状となり、且つ電気かみそり２０の側面視における全体形状が略Ｓ字状をしている。ここで、トルソー状態のくびれ部１ａの位置は、上記のように上下方向の２箇所が屈曲部となった側面視Ｓ字状の電気かみそり２０において、上記略Ｓ字状の上の屈曲部の頂点１ｂと下の屈曲部の頂点１ｃとの間の領域内に位置している。
【００２７】
図１に示す実施形態においては、ボディ本体部１は側面視略く字状をしており、このボディ本体部１の上端よりボディ本体部１のく字状頂点２側にヘッド部３を斜め上方に屈曲して延設してあって、電気かみそり２０全体の側面形状が側面視略Ｓ字状に形成してある。以下の説明においてボディ本体部１のく字状頂点２側（つまりヘッド部３が突出している側）を正面として説明する。９はボディ本体部１の背面上部の背面凸カーブ部を示し、１０はボディ本体部１の背面下部の背面凹カーブ部を示し、１７はボディ本体部１の正面上部の正面凹カーブ部を示しており、この正面凹カーブ部１７が背面凸カーブ部９の正面側に対応した位置となっている。そして、本実施形態においては、図１に示すようにボディ本体部１のく字状頂点２が側面視略Ｓ字状の下の屈曲部の頂点１ｃとなっており、また、ボディ本体部１の背面上部の背面凸カーブ部９の頂点が側面視略Ｓ字状の上の屈曲部の頂点１ｂとなっており、正面視におけるトルソー状態のくびれ部１ａが上記略Ｓ字状の上の屈曲部の頂点１ｂである背面凸カーブ部９の頂点と下の屈曲部の頂点１ｃであるボディ本体部１のく字状頂点２との間の領域内に位置している。
【００２８】
このように電気かみそり２０が正面視において上下方向の略中央部が細くなったトルソー形状となり、且つ全体の側面形状が図１のように側面視略Ｓ字状に形成してあることで、ボディ本体部１の背面上部の背面凸カーブ部９により図５に示す手の人差し指から親指間のア部分１８の接触面積を増やすことが可能であり、また、手の大きさにかかわらず、ボディ本体部１の背面下部の背面凹カーブ部１０により図５に示す手のイ部分である小指丘１９のボディ本体部１との接触面積を増やすことが可能となって安定把持に重要な上記手のア部分とイ部分の接触面積を確保しているために把持が安定するものであり、また、掴み持ちした場合にトルソー形状のくびれ部１ａに母指丘２６の凸カーブがフィットし、凸カーブが強く圧迫されることなく無理なく掴み持ちができるものである。
【００２９】
上記のように電気かみそり２０を掴み持ちする場合、まず、ボディ本体部１の背面上部の背面凸カーブ部９により手の人差し指から親指間の部分の接触面積を増やした状態で図９（ａ）のように人差し指と親指とでボディ本体部１の上部の略Ｓ字状の上の屈曲部１ｂ近傍をしっかりと掴むと共にボディ本体部１の背面下部の背面凹カーブ部１０に小指丘１９を接触させ、更にトルソー形状のくびれ部１ａに母指丘の凸カーブを当てることで自然とフィットさせる。このようにして掴んだ状態で、次に、図９（ｂ）のように中指と薬指をトルソー形状のくびれ部１ａに沿わせるとともに小指をＳ字状の下の屈曲部近傍に沿わせるものである。このようにして掴み持ちするのであるが、この場合、主として人差し指と親指とで掴んで他の指は正面視トルソー形状で且つ側面視略Ｓ字状の電気かみそりの形状に自然に沿っている形態となっている。したがって、このような掴み持ちをした場合には、以下のようにして電気かみそり２０のヘッド部３の毛剃り刃６の肌に対する角度の微調整をすることが可能となる。
【００３０】
すなわち、電気かみそり２０は図９（ａ）に示すように主として人差し指と親指とで掴むことで支持されているので、トルソー形状のくびれ部１ａ、Ｓ字状の下の屈曲部近傍に沿わせた中指や薬指や小指でくびれ部１ａやＳ字状の正面側に凸となった下の屈曲部近傍を押すことで親指と人差指とで掴んだ部分を支点として電気かみそり２０を前後方向や左右方向に若干回動して毛剃り刃６の肌に対する角度の微調整が容易に行えるものである。この際、トルソー形状のくびれ部１ａに母指丘２６の凸カーブがフィットしていて電気かみそり２０の側面に母指丘２６の凸カーブ部分が強く圧縮した状態で押し当てられていないので、母指丘２６が上記親指と人差指とで掴んだ部分を支点とする回動の妨げとならず、また、手首を動かすことなく容易に微調整ができるのである。
【００３１】
図６はボディ本体部１のく字状頂点２側を正面としてボディ本体部１の上下方向と直交するように切断した断面形状を示し、実施形態においては図２のＣ−Ｃ線により切断した断面形状を示している。図６に示すように、図２のＣ−Ｃ線により切断したボディ本体部１の断面形状は、ボディ本体部１のく字状頂点２側を正面側として、背面側の凸カーブ２１の曲率が正面側の凸カーブ２２の曲率よりも大きい略Ｄ字型をしている。
【００３２】
図７は手の各部位の名称が示してある。しかして、上記略Ｄ字型の形状の背面側の凸カーブ２１の曲率は、把持時に形成される手掌２３表面の凹曲面に背面側の凸カーブ２１がフィットするように設定してあり、これによりボディ本体部１と手掌２３との間に隙間が発生して接触面積が減少することを防ぐようになっていて、ボディ本体部１と手掌２３との接触面積が保たれ、保持力が増し、グリップの安定性を確保できるものである。また、手の小丘２４、基節２５及び母指丘２６の接触面積の確保においては、上記のように、断面形状を略Ｄ字型の形状とすることで、略Ｄ字型の背面側の凸カーブ２１の両端と、正面側の滑らかな凸カーブ２２が手の小丘２４、基節２５及び母指丘２６にフィットして接触面積を確保するようになっている。つまり、ボディ本体部１の上下方向と直交する方向の断面が図８のように略長方形の場合、手でボディ本体部１を掴み持ちすると、平面部２７へはフィットしにくく接触面積を確保しにくいが、上記のように、断面形状を略Ｄ字型の形状とすることで、手掌２３、手の小丘２４、基節２５及び母指丘２６がフィットして接触面積を確保できるのである。
【００３３】
ここで、図６において、上記略Ｄ字型形状の短径軸と長径軸の長さの比率をボディ本体部１を把持した際に中指が位置する付近において短径軸：長径軸＝１：約１．５とすることが好ましい。図６においてＭ１は長径軸の寸法、Ｍ２は短径軸の寸法を示す。このような構成とすることで、ボディ本体部１と手の接触面積が最大になる最適寸法比にでき、保持力が増してグリップの安定性を確保できるものである。
【００３４】
また、図２に示すように、ボディ本体部１のく字状頂点２側を正面とした正面視におけるボディ本体部１の上下方向の略中央部のくびれ部１ａはヘッド部３の巾よりも細い細巾部７となっており、細巾部７より下方にいくと一旦正面視における巾が広がり、下部になると次第に正面視における巾が狭くなって正面視におけるボディ本体部１の下端部で全巾中最小巾となっている。つまり、ボディ本体部１は正面視で略ひょうたん型をしている。上記上下方向の中央部の細巾部７は正面視で両側が弧状に凹むことで形成してあり、この中央の細巾部７の両側の凹カーブ２８は把持時に図５の人差し指から親指の間であるア部分１８と人差し指、中指の中節２９や末節３０がフィットして安定感のあるボディ本体部１の保持ができるものである。
【００３５】
上記のように、電気かみそり２０の側面視形状が略Ｓ字状、ボディ本体部１の把持する部分であるグリップ部の断面形状が略Ｄ字形状、正面視のトルソー形状（略ひょうたん型）の特徴を有することで、ボディ本体部１を手で掴み持ちした場合、手掌２３とボディ本体部１との間の隙間の発生がなくなり、また、人差し指から親指間のア部分１８、小指丘１９、小丘２４、基節２５及び母指丘２６、人差し指、中指の中節２９や末節３０の接触面積が増し、保持力が増大するものである。
【００３６】
次に、図１０、図１１に基づいて本発明の更に他の実施形態につき説明する。図１０に示す実施形態においては、側面視略く字状のボディ本体部１く字状頂点２付近より下部がボディ本体部１のく字状頂点２側を正面としてボディ本体部１の上下方向と直交する断面形状を背面側の曲率が正面側の曲率よりも大きい略Ｄ字型に形成してあり、ボディ本体部１のく字状頂点２側を正面とした正面視におけるボディ本体部１の上部の正面部及び背面部を略フラットにしてある。すなわち、図１０にはボディ本体部１をＤ−Ｄ線、Ｅ−Ｅ線、Ｆ−Ｆ線、Ｇ−Ｇ線、Ｈ−Ｈ線で切断した断面形状をそれぞれ図１０の図面の右側に記載した図面であるが、図１０のＤ−Ｄ線における断面形状は正面部及び背面部がフラットで、Ｅ−Ｅ線における断面形状は正面部及び背面部がほぼフラットであり、Ｆ−Ｆ線における断面形状は正面部及び背面部がほぼ同じ曲率の円弧となっており、Ｇ−Ｇ線における断面形状、Ｈ−Ｈ線における断面形状はそれぞれ正面部よりも背面部の曲率が大きくなっている。つまり、本実施形態においては、ボディ本体部１の上部の正面部と背面部がほぼフラットとなフラット部３１となっていて下方にいくに従って次第に断面形状が略Ｄ字形となるように緩やかに変化している。
【００３７】
また、図１１に示す実施形態では側面視略く字状のボディ本体部１く字状頂点２付近がボディ本体部１のく字状頂点２側を正面としてボディ本体部１の上下方向と直交する断面形状を背面側の曲率が正面側の曲率よりも大きい略Ｄ字型に形成してあり、ボディ本体部１のく字状頂点２側を正面とした正面視におけるボディ本体部１の上部の正面部及び背面部を略フラットにしてある。すなわち、図１１にはボディ本体部１をＤ−Ｄ線、Ｅ−Ｅ線、Ｆ−Ｆ線、Ｇ−Ｇ線、Ｈ−Ｈ線で切断した断面形状をそれぞれ図１１の図面の右側に記載した図面であるが、図１１のＤ−Ｄ線における断面形状は正面部及び背面部がフラットで、Ｅ−Ｅ線、Ｆ−Ｆ線、Ｈ−Ｈ線における断面形状は正面部及び背面部がほぼ同じ曲率の円弧となっており、Ｇ−Ｇ線における断面形状が正面部よりも背面部の曲率が大きくなっている。つまり、本実施形態においては、ボディ本体部１の上部の正面部と背面部がほぼフラットとなフラット部３１となっていて下方にいくに従って次第に曲率が大きくなり把持部分では断面形状が略Ｄ字形となるように緩やかに変化している。
【００３８】
しかして、上記図１０、図１１に示す実施形態の電気かみそりは、図１２に示すように掴み持ちで保持して髭剃りする場合と、図１３に示すように挟み持ちで保持してひげ剃りする場合とがあり、図１２に示すように掴み持ちで保持する場合にはボディ本体部１の下部の断面略Ｄ字形の部分をグリップとして掴み持ちすることで、前述と同様の効果がある。
【００３９】
一方、挟み持ちする場合は、図１３に示すように親指以外の４指でボディ本体部１の背面上部の背面凸カーブ部９と、背面下部の背面凹カーブ部１０を保持し、親指は正面凹カーブ部１７を保持するものであるが、この状態で把持すると曲面上では各指の圧を個別に調整せねばならず、指の関節角度の微調整が難しくない電気かみそり２０の微妙な向きの変化がつけにくく、顔の凹凸に対して毛剃り刃６の当て角度を微調整し難い。
【００４０】
しかしながら、上記のようにボディ本体部１の上部の正面部及び背面部を略フラットにしてあることでこのフラット部３１に当てた指は指圧調整がしやすくなり、指の関節角度を微調整することで電気かみそり２０のアングルを微妙に変化させることが可能となって、顔の凹凸に対して毛剃り刃６の当て角度を微調整しやすいものである。なお、図９、図１０はボディ本体部１の背面上部の背面凸カーブ部９と正面凹カーブ部１７をフラット化した例を示している。また、図１４はボディ本体部１の背面上部の背面凸カーブ部９と正面凹カーブ部１７をフラット化した概略側面図を示している。
【００４１】
次に、本発明の他の実施形態につき説明する。
【００４２】
図１５には電気かみそり２０のボディ本体部１に手で把持した際に摩擦抵抗が大きくて滑りにくい滑り止め部である不滑性部８を設けた例である。ボディ本体部１の背面の図１５のハッチングで表示した部分が不滑性部８となっている。ボディ本体部１を図１２のような持ち方をした場合、図５の人差し指から親指間のア部分１８とイ部分である小指丘１９の摩擦抵抗が大きくなり、ボディ本体部１をより安定保持することができるものである。また、安定保持できるため、ボディ本体部１を滑らないように強く握る必要がなく、疲れずにシェービングすることができ、更に、ボディ本体部１が滑りにくくなることで、外刃４を肌に押付ける力も加えやすくなっており、深剃りも楽に行えるものである。加えて、手掌２３とのフィット感が感じられるため心地よく、使用感が向上するものである。
【００４３】
ここで、図１６に示すようにボディ本体部１の側面にもハッチングで示した部分に不滑性部８を設けるものであり、これにより、母指丘２６、小丘２４、末節３０〜中節２９の把持性を上げることができ、これによりボディ本体部１を拾い上げる時に滑りにくく、持ち上げやすいものであり、また、ボディ本体部１を落下させる危険性も減少する。また、ボディ本体部１使用時のヘッド部３の角度微調整の際にもこの不滑性部８があることで操作し易く、ボディ本体部１が滑る心配がなく、より快適にシェービングを行うことができるものである。
【００４４】
図１７には不滑性部８をボディ本体部１の正面に設けた例を示している。図１７のハッチングで示した部分が不滑性部８となっている。このように不滑性部８をボディ本体部１の正面に設けることで、親指及び末節の摩擦抵抗を上げることができ、様々なボディ本体部１の持ち方においていっそうボディ本体部１を持ちやすくなる。
【００４５】
例えば、図１３のように、親指を正面におき、残りの４指を掴み持ちする場合、親指と人差し指でボディ本体部１の上部を掴むとともに残りの３指を人差し指側においてボディ本体部１に沿わせて掴むため、親指−４指間でボディ本体部１を挟んで支えていることになり、このため、前面の不滑性部８があることで、把持しにくい親指部が滑りにくくなり、ボディ本体部１を持ちやすく、操作性が上がるものであり、これにより顔の曲面に合わせてボディ本体部１の角度が変えやすく、安定して肌への刃の押し付けを行え、より短く、剃り残し無く、短い時間でシェービングができる。また、前述の背面、側面、前面に不滑性部８を組み合わせて設けることで、不滑性部８の効果を更にあげることができるものである。
【００４６】
また、上記いずれの実施形態においても、各不滑性部８表面をディポット、リブ等の凸凹で形成することでより摩擦抵抗が大きくなって滑性部８の効果を高めることができるものである。
【００４７】
また、不滑性部８を構成する部材を弾性部材とすることで、弾性部材が変形し、手への接触面積が多くなり、より不滑性部８の効果が得られることになる。
【００４８】
また、弾性部材であるため柔軟であって、指の圧力で変形し、指の形状にフィットし不滑性部８の効果を上げるのはもちろん、様々な使用者に合ったグリップを提供することができることになる。これは、シェービング時の深剃り、髭の狙い易さ、ボディ本体部１の扱い易さ等の機能の効果も高めることができる他に、握った時の心地よさ、握り易さ等、官能的に満足させ得る効果も合わせ持っている。弾性部材としては例えばゴム質材、エアー、流体、スポンジなどが考えられる。
【００４９】
次に、本発明の電気かみそり２０の他の実施形態を図１８乃至図２７に基づいて説明する。本実施形態において、前述の実施形態と同じ構成には同じ符号を付し、異なる構成には別の符号を付けている。
【００５０】
本実施形態の電気かみそり２０も、図１８に示すように、上端部に外刃４と内刃５とを有する毛剃り刃６を備えたヘッド部３をボディ本体部１の上端に設けて構成してあり、ボディ本体部１内の上端付近にヘッド部３を支持する部材が配設されている。ここでは、図２３に示すように、ヘッド部３とボディ本体部との間に刃ヘッド支持ブロック７２が配設されている。
【００５１】
そして、本実施形態においても、図１８，図１９（ａ）、（ｃ）に示すように、ヘッド部３が突出している側を正面とした正面視において電気かみそり２０の上下方向の略中央部が細くなったトルソー形状となり、また、図１９（ｂ）に示すように該電気かみそり２０の側面視における全体形状が略Ｓ字状をしている。したがって、この実施形態の電気かみそり２０においても、前述の実施形態と同様に上下方向の２箇所が屈曲部となった側面視Ｓ字状の電気かみそり２０において、正面視において電気かみそり２０の上下方向の略中央部が細くなったトルソー形状のくびれ部１ａが上記Ｓ字状の上の屈曲部の頂点１ｂと下の屈曲部の頂点１ｃとの間の領域内に位置している。
【００５２】
このように本実施形態においても、正面視においてトルソー形状をし且つ側面視において略Ｓ字状をしているので、前述の実施形態における正面視トルソー形状、側面視略Ｓ字状としたことによる電気かみそり２０と同様の作用効果を有している。この点の説明はすでに述べた前述の実施形態における説明と重複するので省略する。
【００５３】
また、電気かみそり２０を掴み持ちした場合におけるヘッド部３の外刃４と内刃５よりなる毛剃り刃６の肌に対する角度の微調整も前述の実施形態と同様にして行える。すなわち、本実施形態における図２７（ａ）は前述の実施形態の図９（ａ）に対応し、本実施形態における図２７（ｂ）は前述の実施形態の図９（ｂ）に対応する。そして、本実施形態においても前述の図９の説明と同様の理由によりトルソー形状のくびれ部１ａ、Ｓ字状の下の屈曲部近傍に沿わせた中指や薬指や小指でくびれ部１ａやＳ字状の正面側に凸となった下の屈曲部近傍を押すことで親指と人差指とで掴んだ部分を支点として電気かみそり２０を前後方向や左右方向に若干回動して毛剃り刃６の肌に対する角度の微調整が容易に行えるものである。
【００５４】
また、本実施形態においても正面視で上下方向の略中央部が細くなったトルソー形状をした電気かみそり２０のボディ本体部１の略中央部をヘッド部３の巾よりも細い細巾部７とし、正面視におけるボディ本体部１の下端部を全巾中最小巾としてある。この構成とすることによる作用効果も前述の実施形態と同様である。
【００５５】
次に、本実施形態におけるグリップ部となるボディ本体部１の滑り止め構造について説明する。
【００５６】
本実施形態では、図１８、図１９に示すように、ボディ本体部１の側面Ｂ２から背面下半部Ｂ３ｂにかけて、不滑性部８（本実施形態ではエラストマのような摩擦係数の大きい弾性部材からなる滑り止め部）が連続的に配設され且つこの不滑性部８はボディ本体部１の正面上半部Ｂ１ａにも配設されている。さらに、側面Ｂ２の不滑性部８を側面下半部Ｂ２ｂから側面上半部Ｂ２ａまで延設している。ボディ本体部１の背面上半部Ｂ３ａにも不滑性部８を配設している。この背面上半部Ｂ３ａに配設された不滑性部８は、トリマーの操作部を兼用している。ここで、ボディ本体部１の正面上半部Ｂ１ａの不滑性部８と背面上半部Ｂ３ａの不滑性部８とを略同一高さに配設しており、正面Ｂ１からの親指の保持力と、背面Ｂ３からの人差し指・中指の保持力がつりあうようにしている。さらに、ボディ本体部１の側面Ｂ２の不滑性部８を正面下半部Ｂ１ｂまで延設することにより、ボディ本体部１を一周するように不滑性部８を連続的に配設してある。本実施形態においては、図１８、図１９のドット部分で示すように、前ハウジング８６には両側面Ｂ２から正面Ｂ１下端部にかけて不滑性部８を一体成形し、後ハウジング８９には両側面Ｂ２から背面下半部Ｂ３ｂにかけてエラストマ製の不滑性部８を一体成形している。前後ハウジング８６，８９を組み合わせることにより、ボディ本体部１の側面Ｂ２から背面下半部Ｂ３ｂ、及び側面Ｂ２から正面Ｂ１下端部にかけて、ボディ本体部１を一周するように不滑性部８が連続的に配設されるようになっている。
【００５７】
しかして、ボディ本体部１の側面Ｂ２から背面下半部Ｂ３ｂにかけてエラストマ（摩擦係数が大きい弾性部材）からなる不滑性部８を連続的に配設することにより、図２６に示す「挟み持ち」や、図２５に示す「掴み持ち」の場合のいずれでも、手の大きさや、把持時の微妙な位置ズレに関係なく、中指・薬指・小指のいずれか１本以上における小丘２４・基節２５・中節２９・末節３０、及び小指丘１９・母指丘２６が確実に不滑性部８に接触するため、側面方向及び背面方向からの接触圧に対するグリップ性（グリップ把持性能）が向上する。さらにボディ本体部１の正面上半部Ｂ１ａにもエラストマ製の不滑性部８を配設することにより、親指末節が不滑性部８に接触するため、正面Ｂ１からの接触圧に対するグリップ性が向上する。
【００５８】
さらに、側面Ｂ２の不滑性部８を側面上半部Ｂ２ａまで延設しているので、人差し指・中指・薬指・小指全ての末節３０がこの不滑性部８に接触するようになり、さらに、ボディ本体部１の背面上半部Ｂ３ａにも不滑性部８を配設しているので、人差し指もしくは中指の基節２５・中節２９がこの不滑性部８に接触するようになる。
【００５９】
従って、使用者の手の大きさや持ち方に差異があっても、不滑性部８が設置されている部位に接触圧がかかり、充分な正面保持部のグリップ性が得られるようになる。この結果、電気かみそり把持時において「挟み持ち」や「掴み持ち」のような把持状態におけるグリップ性を向上させることができる結果、使用時に滑りにくく使いやすいボディ本体部１を備えることとなり、従来のような肌への押し付けの際に押し付け力に負けて滑ったり、最適な押し付け力で剃れなかったり、肌に毛剃り刃（ヘッド部３）が最適な角度で当たらなくなるという問題がなくなり、剃り残しをなくして剃り時間を短くできるという利点がある。
【００６０】
また本実施形態図１９（ｂ）（ｃ）に示すように、ボディ本体部１の背面上半部Ｂ３ａに配設された不滑性部８は、トリマー操作部７０ａを兼ねている。すなわち、ボディ本体部１の背面上部には後述のトリマーブロック７０をスライドするためのトリマー操作部７０ａが位置しており（添付図面の実施形態ではトリマーブロック７０の下部がトリマー操作部７０ａとなっている）、このトリマー操作部７０ａにエラストマ製の不滑性部８を設けてある。そして、この不滑性部８を設けたトリマー操作部７０ａが側面視略Ｓ字状をした電気かみそり２０における略Ｓ字状の上の屈曲部付近に位置している。このように不滑性部８を設けた指当て部であるトリマー操作部７０ａが略Ｓ字状の上の屈曲部付近に位置しているので、トリマーで際剃りする際に、掴み持ち、挟み持ちのいずれの場合においても親指がちょうど電気かみそり２０の略Ｓ字状をした上の屈曲部の背面側に位置するようにして持つことで電気かみそり２０をヘッド部に近い位置で安定して持ってトリマー操作が行うのであるが、この場合、親指が不滑性部８よりなる指当て部に当たる位置となるため、親指によるトリマー操作部７０ａの上下操作が容易に且つ滑ることなく行えることになる。これによりグリップ性だけでなく、トリマー操作性も向上する。
【００６１】
また前面パネル６０の前面上部には、把持時に親指が置かれる位置に、正面Ｂ１の不滑性部８が配設されていると共に、トリマーブロック７０には、正面Ｂ１の不滑性部８と略同一高さに背面Ｂ３の不滑性部８が配設されている。これにより、正面Ｂ１からの親指の保持力と、背面Ｂ３からの人差し指・中指の保持力がつりあうため、五指すべてで把持する必要はなくなり、親指・人差し指・中指のみでもグリップ性が安定する。また、前面パネル６０の正面Ｂ１の不滑性部８により親指末節が、トリマーの背面Ｂ３の不滑性部８により人差し指の基節２５・中節２９がそれぞれ不滑性部８に接触する。そのうえボディ本体部１の側面Ｂ２の不滑性部８を正面下半部Ｂ１ｂまで延設することにより、ボディ本体部１を一周するように不滑性部８を連続的に配設したので、正面Ｂ１と背面Ｂ３を逆向きに把持して使用する場合においても、小指もしくは薬指が不滑性部８に接触するため、充分なグリップ性が得られる。この結果、把持時のグリップ性が向上し、使用時に一層滑りにくく使いやすい構成となる。
【００６２】
なお前記実施形態では、不滑性部８をボディ本体部１を一周するように連続的に配設したが、必ずしもこれには限定されず、少なくとも側面Ｂ２から背面下半部Ｂ３ｂにかけて連続的に、且つ正面上半部Ｂ１ａにも配設されていればよいものである。
【００６３】
次に、本実施形態の電気かみそりの構造につき説明する。
【００６４】
先ず、ヘッド部３の構成について、図２０〜図２２に基づいて詳述する。
【００６５】
ヘッド部３は、大きく分けてリニアモータ７３を収納したヘッドケースブロック７４と、内刃５と、外刃ブロック７５とにより構成されており、リニアモータ７３の左右方向Ｆ（図１８）の振動がその先端の駆動子１３によって内刃５に伝えられて、内刃５と外刃４が互いに摺動することにより、外刃４の刃穴に入った髭をカットするものである。図２２に示すように、リニアモータ７３はその下部において、モータ基台７６と一体的に結合した状態でヘッドケース７７内に上側から挿入され、下側からヘッド下ネジ７８にて固定されている。
【００６６】
上記ヘッドケース７７は、図２２に示すように、上からヘッドケースカバー７９、駆動子防水ゴム８０、ゴム押え板８１を介してヘッド上ネジ８２で固定されている。ヘッドケース７７をネジ固定することにより、ヘッドケースブロック７４はリニアモータ７３を内蔵した１つの箱体として構成されている。また、ヘッドケースカバー７９の下面には、防水用のゴム（図示せず）が設けられており、これによってヘッドケースブロック７４は防水されたケースとして構成されている。リニアモータ７３の下側から延びているリード線８３は、図２０に示すように、リニアモータ７３を駆動させるためにその先端部がボディ本体部１内の駆動回路に結合されるものであり、ヘッドケース７７下部に設けた穴（図示せず）を通って防水性のあるゴムチューブ８５を挿通した後に、後述する前ハウジング８６の上面に設けられた穴８７（図２４）を通って、前後ハウジング８６，８９内の回路８４（図２０）に結線される。ゴムチューブ８５の上端は、ヘッドケース７７底面に設けた筒穴（図示せず）に圧入した後に後述のヘッド止め部材８８の係止穴８８ａ（図２２）によりその外側から係止され、ゴムチューブ８５の下端は後ハウジング８９上面のリード線用筒穴に圧入された後に、後述するクリック部材９１の係止穴９１ｂ（図２４）に挿入されて係止されるようになっている。すなわち、ヘッド部３とボディ本体部１の箱状空間１１０との間を防水構造とし、さらに上記ゴムチューブ８５でヘッド部３とボディ本体部１と結合し、ゴムチューブ８５内にリード線８３を通して、防水状態でヘッド部３にボディ本体部１からの電力が供給されるようにしたので、大きな相対移動が可能な状態で防水が可能となり、掃除性も向上するものである。
【００６７】
上記ヘッドケース７７は、図２２に示すように、その底面中央付近のみを下側に突出させた突出部７７ａとなっている。突出部７７ａにヘッド部３をボディ本体部１の前後壁８６ａ，８９ａに対して揺動自在に支持する支持部を形成し、その両外側の下面位置を上側に上げることにより、よりヘッド部３の左右傾きを大きくすることができ、肌への追従性も向上させることができるものである。しかもヘッドケース７７の下側への突出部７７ａのみを前後壁８６ａ，８９ａで覆い、その両外側に前後方向Ｅに貫通した隙間が設けられているため、剃り時にヘッド部３の動きを確認しやすく、ヘッド部３を左右に大きく回転させること示できると共に、髭が溜まりにくい構造となる。また、前後壁８６ａ，８９ａの幅寸法Ｌ１（図１９）はボディ本体部１の左右方向Ｆの幅寸法Ｌ２（図１９）よりも小さくなっている。これにより通常の手によるグリップ状態において、指がヘッド下側の可動範囲に入る可能性が大きく低減し、指がヘッド部３に当たってヘッド部３の動きに対しての妨げとなることなく、グリップ性を確保できる構造となっている。
【００６８】
ここで、上記ヘッド部３を前後方向Ｅに保持する機構と前後方向Ｅのガタツキを防止する機構とを説明する。前壁８６ａにはヘッド部３を前後方向Ｅに保持する機構が設けられている。図２２に示す例ではヘッド止め部材８８の前後一対の係止突起９３がヘッドケース７７の前後両面の各凸部９２に係止することで、ヘッド止め部材８８はヘッドケースブロック７４に取り付けられる。さらにヘッド止め部材８８の前側の上端部には左右に突出する突片９４，２８が設けられ、この突片９４，２８が前ハウジング８６の前壁８６ａに設けた開口９５に引掛けられることで、ヘッド止め部材８８の突片９４が前壁８６ａに係止され、これにより、ヘッドケースブロック７４は前ハウジング８６に対して前後方向Ｅ（図１８）に動かないように保持される。従って、前ハウジング８６の前壁８６ａと後ハウジング８９の後壁８９ａとの間のピッチがばらついても、常にヘッドケースブロック７４を前ハウジング８６の前壁８６ａで保持して、前後方向Ｅのガタツキを防止できるようになる。さらに、ヘッド止め部材８８の背面下部から下側に延出するように突起部９０（図２４）が形成され、この突起部９０が後壁２４の内面に摺接しており、これによりヘッドケースブロック７４の前後方向Ｅの傾きを防止している。つまり、突起部９０が後ハウジング８９の後壁８９ａ内面に摺接することで、ヘッドケースブロック７４は前後方向Ｅに傾かない状態で上下方向のみにガイドされるようになることで、剃り時にヘッド部３に対して前後方向Ｅの力が加わっても、ヘッド部３が前後方向Ｅに傾かず、従来のようにヘッド部３が前後に傾いて剃りにくくなるのを防ぐことができるものである。
【００６９】
また上記ヘッドケース７７の長手方向両端面には、図２２に示すように、刃着脱釦９６が配設されている。各刃着脱釦９６は、ヘッドケース７７に内包した刃着脱釦バネ９７により外側に付勢された状態で取り付けられている。
【００７０】
次に内刃５を説明する。上記リニアモータ７３の駆動子１３は、図２２に示すヘッドケース７７の上面中央部の穴から上方に突出しており、この駆動子１３に対して前後方向からスリット駆動桿３２、トリマー駆動桿３３が取り付けられている。駆動子１３の中には内刃押上バネ３４がバネストッパー３５により保持されており、その上から内刃５が結合することにより、内刃５が上方に付勢された状態となっている。
【００７１】
次に外刃ブロック７５を説明する。図２１に示すように、３つの刃が前後方向Ｅに外刃４（ネット刃）、スリット刃３６、外刃４（ネット刃）の順で配設されており、それらはスリットフロートバネ３７によってそれぞれが独立にフロート可能となるように、枠形状の保持枠３８により保持されている。外刃４は外刃枠３９により固定され、外刃枠３９は刃カバー部材４０により、保持枠３８に結合している。保持枠３８の左右方向Ｆ両端に設けられた係合穴４１に対して刃着脱釦９６上部の係合突起４２（図２２）が係合することにより、外刃ブロック７５はヘッドケース７７に対して着脱自在に保持されるものである。
【００７２】
次に刃ヘッド支持ブロック７２の構成について、図２０、図２２、図２３に基づいて詳述する。ヘッド支持部材４３は、図２２に示すように、略コの字型に形成されており、その上先端部には穴部４４が設けられている。一方、ヘッドケース７７の前後壁には、それぞれ２箇所、計４箇所の前後方向Ｅに突出する支持突起４５が設けられている。前後の支持突起４５はそれぞれ、正面から見て同軸上となる位置に形成されている。
【００７３】
ここで、上記ヘッド支持部材４３は左右に２つ配設されており、それぞれの上部の穴部４４がヘッドケース７７の支持突起４５に対して回転自在に、且つヘッドケース７７を下側から前後に挟み込む状態で係合している。また、各ヘッド支持部材４３は、図２０に示すように、前後の各ハウジング８６，８９の前後壁８６ａ，８９ａに形成された左右一対の縦溝状のガイド溝４６，４７にそれぞれ嵌め込まれることにより、ヘッド支持部材４３は前後壁８６ａ，８９ａに挟まれた状態で上下動自在に保持されている。
【００７４】
ここで、上記ヘッド支持部材４３が左右に２つ設けたことによる機能は以下のように説明できる。肌面と異なる角度にヘッド部３が押し当てられた場合、ヘッド部３の両端部が肌に当たり、ヘッド部３を下に下げようとする力が発生する。このとき、ヘッド部３の回転の支点は、肌が当たった側と反対側のヘッド支持部材４３が軸となるために、力点との距離が大きくなり、ヘッド部３を回転させるための力が大きくなる。よって肌に対して沿う状態まで、ヘッド部３が軽い力で回転するために、肌と刃が密着して、より剃り残しのない電気かみそり２０を提供できるものである。
【００７５】
さらに本例では、前壁８６ａ側のガイド溝４６の上端側にエラストマ製の弾性部材１００（図２４）が配置されている。弾性部材１００はガイド溝４６の上端に設けられており、ガイド溝４６に沿ってヘッド支持部材４３が移動する際に、フロートしたヘッド支持部材４３が復帰するときの衝撃を弾性部材１００によって緩和して、手への衝撃や音を低減する働きをする。
【００７６】
次に上記ヘッド支持部材４３を付勢するバネブロック５０を説明する。バネブロック５０は、図２０、図２４に示すように、各ヘッド支持部材４３に対応して、左右に２つ設けられており、１つのバネブロック５０にはコイルバネ５１と板バネ５２が上下のバネ受け部材５３により保持されている。コイルバネ５１は上下の各バネ受け部材５３に設けられた突起（図示せず）で保持されている。板バネ５２は略Ｕ字型に形成されており、その一片が上側のバネ受け部材５３の突起を溶着することにより固定される。下側のバネ受け部材５３には、コイルバネ５１を挟む位置に２か所の突出部（図示せず）を有しており、その先端フックが上側のバネ受け部材５３に設けた穴（図示せず）と係合することにより、バネブロック５０を形成する。バネブロック５０の上側のバネ受け部材５３がヘッド支持部材４３の下面に当たり、下側のバネ受け部材５３が前後のハウジング８６，８９の箱状空間１１０の底面に当ることで、ヘッド支持部材４３はバネブロック５０によって下から支持される。これらの構成により、ヘッドケースブロック７４の大きな相対移動が可能な状態で防水が可能となり、掃除性が向上するものとなる。また、上記のようにヘッド部３とボディ本体部１の箱状空間１１０の上面側の間に付勢要素を構成するヘッド支持部材４３とバネブロック５０とを設けたことで、付勢要素がボディ本体部１の太さに影響を与えないため、非常に持ちやすい細身のボディ本体部１を形成できると共に、ヘッド部３の下面の厚み方向全体に亘ってヘッド部３を支持することができ、ヘッド部３の動作が安定する。しかも、ヘッド部３に回転自在に結合されたヘッド支持部材４３をハウジングの前後壁８６ａ，８９ａの内側に形成されたガイド溝４６，４７で上下動自在に保持し、ヘッド支持部材４３をバネブロック５０にてバネ付勢したことによって、ヘッド部３の回転と上下動を行なうことができる構造となる。
【００７７】
次に上記バネブロック５０のバネ力を調整する機構を説明する。後ハウジング８９の片側の側面上部には、図２０に示すように、扇形の平面部６３と穴６２とが形成されており、上記穴６２にレバー軸６４が挿通される。レバー軸６４の先端部に設けた突起６５に、レバー操作子６６が回転自在に結合しており、レバー操作子６６は後ハウジング８９の上記平面部６３に配設される。レバー軸６４は上記バネブロック５０の内側に挿入されて、レバー操作子６６を動かすことにより、レバー軸６４が回転し、レバー軸６４に設けた突部６７の先端高さが変化することで、バネブロック５０全体が上下に伸縮して、バネ受け部材５３の下面や板バネ５２を受ける高さを変化させることができ、これにより、フロート量やフロート力の調整を行えるようになっている。さらに、上記レバー軸６４の中央付近には先端に球形状を有する突起６８が形成されており、この突起６８がレバー軸６４に装着されているクリック部材９１の溝９１ａと係合することにより、クリック感を得ながらレバー軸６４の回転位置を位置決めできるようになっている。
【００７８】
次にボディ本体部１について、図１８、図１９、図２０、図２３に基づいて詳述する。ボディ本体部１は前後に分割したハウジング８６，８９を中心に構成されており、前後のハウジング８６，８９はその間にゴムのＯリング５５（図２０、図２４）を挟んで結合されることにより、その内側に防水可能な箱状空間１１０を形成すると共に、箱状空間１１０の前後上端から上方に向かって前後壁８６ａ，８９ａがそれぞれ延出しており、これら前後壁８６ａ，８９ａの各内面がヘッド保持部となっている。ハウジング８６，８９内に形成された箱状空間１１０には、図２０に示すように、電池５６、回路８４、それらを保持するための基台５６ａ等が配設される。前後のハウジング８６，８９はその背面部からハウジング固定ネジ５７により固定される。図２０中の５８はネジ蓋である。
【００７９】
上記前ハウジング８６の前面には、スイッチ５９を挟み込んだ状態で、前ハウジシグ２１前面に設けたフックにより前面パネル６０が結合している。なお後ハウジング８９の背面には後面パネル６１が結合している。
【００８０】
また、トリマーブロック７０は、図１９、図２０、図２４に示すように、後面パネル６１側に上下方向にスライド自在に取り付けられており、そのスライド上部位置において、トリマー駆動子７１（図２０）がヘッド部３に設けられたトリマー駆動桿３３（図２２）と結合し、駆動される。
【００８１】
【発明の効果】
上記のように本発明の請求項１記載の発明にあっては、ヘッド部が突出している側を正面とした正面視において電気かみそりの上下方向の略中央部が細くなったトルソー形状となり、該電気かみそりの側面視における全体形状が略Ｓ字状をしているので、トルソー形状と、側面視略Ｓ字状をした電気かみそりの背面側の背面凸カーブ部によって人差し指から親指間の接触面積を増やし、略Ｓ字状の背面下部の背面凹カーブ部で手の大きさにかかわらず手の小指丘との接触面積を増やすことができ、この結果、安定把持に重要な小指丘と、人差し指から親指間の接触面積を確保できるものであり、更に、掴み持ちした場合にトルソー形状のくびれ部に母指丘がフィットし、無理なく掴み持ちができるものである。また、電気かみそりを掴み持ちする場合、側面視略Ｓ字状をした電気かみそりの背面側の背面凸カーブ部によって人差し指から親指間の接触面積を増やした状態で親指を人差し指とで掴み、トルソーのくびれ部に母指丘の凸カーブをフィットさせ、略Ｓ字状の背面下部の背面凹カーブ部に小指丘を沿わせた状態で中指と薬指と小指とを電気かみそりのトルソーのくびれ部や略Ｓ字状の下の屈曲部に沿わせて掴むという掴み形態ができ、このような掴み形態をした場合には、電気かみそりのヘッド部の毛剃り刃の肌に対する角度の微調整をするに当たって、トルソー形状のくびれ部、Ｓ字状の下の屈曲部近傍に沿わせた中指や薬指や小指でくびれ部やＳ字状の正面側に凸となった下の屈曲部近傍を押すことで親指と人差指とで掴んだ部分を支点として電気かみそりを前後方向や左右方向に若干回動して毛剃り刃の肌に対する角度の微調整が容易に行えるものであり、この際、トルソー形状のくびれ部に母指丘の凸カーブがフィットしていて電気かみそりの側面に母指丘の凸カーブ部分が強く圧縮した状態で押し当てられていないので、母指丘が上記親指と人差指とで掴んだ部分を支点とする回動の妨げとならず、手首を動かすことなく容易に微調整ができるのである。これらの結果、本発明においては、手掌及び各指の接触面積を確保できて、フィット感を向上させ、滑りにくくて使い易く、特に毛剃り刃の肌に対する角度の微調整が容易に行える電気かみそりを提供できるものである。
【００８２】
また、請求項２記載の発明にあっては、上記請求項１記載の効果に加えて、上下方向の２箇所が屈曲部となった側面視Ｓ字状の電気かみそりにおいて、正面視において電気かみそりの上下方向の略中央部が細くなったトルソー形状のくびれ部が上記Ｓ字状の上の屈曲部の頂点と下の屈曲部の頂点との間の領域内に位置しているので、合理的な構成で上記請求項１の効果を確実に奏することができるものである。
【００８３】
また、請求項３記載の発明にあっては、側面視略く字状のボディ本体部と、このボディ本体部の上端よりボディ本体部のく字状頂点側に斜め上方に屈曲して延設されるヘッド部とから構成され、全体形状を側面視略Ｓ字状としてあるので、合理的な構成で上記上記請求項１又は請求項２の効果を確実に奏することができるものである。
【００８４】
また、請求項４記載の発明にあっては、上記請求項１乃至請求項３のいずれかに記載の発明の効果に加えて、正面視で上下方向の略中央部が細くなったトルソー形状をした電気かみそりのボディ本体部の略中央部のくびれ部をヘッド部の巾よりも細い細巾部とし、正面視におけるボディ本体部の下端部を全巾中最小巾としてあるので、細巾部により母指丘の凸カーブが広い接触面積でフィットして、滑りにくくて無理のない安定感のある保持ができると共にボディ本体部の下端部が全巾中最小巾であるので手掌で無理なく保持できるものである。
【００８５】
また、請求項５記載の発明にあっては、上記請求項１乃至請求項４のいずれかに記載の発明の効果に加えて、ヘッド部が突出している側を正面としてボディ本体部の上下方向と直交する断面形状を背面側の曲率が正面側の曲率よりも大きい略Ｄ字型に形成してあるので、小丘、基節及び母指丘の接触面積の確保において断面が滑らかでない略長方形の場合、平面部へはフィットしにくく接触面積を確保しにくいが、Ｄ字型の滑らかな形状にすることで平面部をなくし、手掌及び各指の接触面積を確保できて、フィット感を向上させ、滑りにくくて使いやすい電気かみそりを提供することができるものである。
【００８６】
また、請求項６記載の発明にあっては、上記請求項１乃至請求項５のいずれかに記載の発明の効果に加えて、ヘッド部に備えた内刃が往復刃であり、ヘッド部が突出している側を正面とした正面視におけるボディ本体部の上端部の正面部及び背面部を略フラットにしてあるので、ボディ本体を挟み持ちする場合、ボディ本体部の上端部の略フラットな正面部及び背面部を親指以外の４指と、親指とで挟み持ちすることで、各指の圧を個別に調整しやすく、電気かみそりのアングルを微妙に変化させることが可能となるものである。
【００８７】
また、請求項７記載の発明にあっては、上記請求項１乃至請求項６のいずれかに記載の発明の効果に加えて、ヘッド部が突出している側を正面としてボディ本体部の上下方向と直交する断面形状を背面側の曲率が正面側の曲率よりも大きい略Ｄ字型に形成し、この略Ｄ字型形状の短径軸と長径軸の長さの比率をボディ本体部を把持した際に中指が位置する付近において短径軸：長径軸＝１：約１．５としたので、ボディ本体部と手の接触面積が最大になる最適寸法比にできて、手がボディ本体部にフィットして安定した保持ができるものである。
【００８８】
また、請求項８記載の発明にあっては、上記請求項１乃至請求項７のいずれかに記載の効果に加えて、ボディ本体部の背面及び側面に不滑性部を設けてあるので、背面の不滑性部により安定把持に重要な小指丘と、人差し指から親指間手掌部分の摩擦を上げることができ、また、側面の不滑性部により母指丘、小丘、末節〜中節の把持性を上げることができ、これにより滑り止めがなされてホールド性、フィット性を向上させることができるものである。
【００８９】
また、請求項９記載の発明にあっては、上記請求項１乃至請求項８のいずれかに記載の発明の効果に加えて、ボディ本体部の前面に不滑性部を設けてあるので、親指及び指の末節の摩擦を上げることができ、これにより滑り止めがなされてホールド性、フィット性を向上させることができるものである。
【００９０】
また、請求項１０記載の発明にあっては、上記請求項８又は請求項９のいずれかに記載の発明の効果に加えて、不滑性部が弾性部材で構成してあるので、簡単な構成で不滑性部を構成することができるものである。
【００９１】
請求項１１記載の発明にあっては、上記請求項１乃至請求項１０のいずれかに記載の発明の効果に加えて、電気かみそりの背面側にトリマーを操作するための上下スライド自在なトリマー操作部を設け、トリマー操作部に不滑性部を設け、この不滑性部を設けたトリマー操作部をＳ字状の上の屈曲部付近に位置させてあるので、トリマーで際剃りする際、親指がちょうどＳ字状の上の屈曲部付近の不滑性部よりなるトリマー操作部に当たって、親指によるトリマー操作部の上下操作が容易に且つ滑ることなく行えるものである。
【図面の簡単な説明】
【図１】本発明の電気かみそりの側面図である。
【図２】同上の正面図である。
【図３】同上の図２のＢ−Ｂ線の断面図である。
【図４】同上の図１のＡ−Ａ線の断面図である。
【図５】同上の手の部位の説明図である。
【図６】同上の図２のＣ−Ｃ線の断面図である。
【図７】同上の手の部位の説明図である。
【図８】同上の本体の断面が長方形の場合における把持状態の模式図である。
【図９】（ａ）（ｂ）同上の電気かみそりを掴み持ちの作用を説明する説明図である。
【図１０】同上のボディ本体部の上下方向の各部の切断線における断面形状を示す説明図である。
【図１１】同上の他の実施形態のボディ本体部の上下方向の各部の切断線における断面形状を示す説明図である。
【図１２】（ａ）（ｂ）（ｃ）（ｄ）は同上の掴み持ち状態を示す斜視図である。
【図１３】（ａ）（ｂ）（ｃ）（ｄ）は同上のボディ本体部の挟み持ちを説明する説明図である。
【図１４】同上のボディ本体部の上部の表面部と背面部とを略フラットにした例を示す説明図である。
【図１５】同上のボディ本体部の背面部に不滑性部を設けた例を示す背面図である。
【図１６】同上のボディ本体部の側面部に不滑性部を設けた例を示す側面図である。
【図１７】同上のボディ本体部の正面部に不滑性部を設けた例を示す正面図である。
【図１８】本発明の電気かみそりの他の実施形態の斜視図である。
【図１９】（ａ）同上の正面図であり、（ｂ）は側面図であり、（ｃ）は背面図である。
【図２０】同上の全体の分解斜視図である。
【図２１】同上の外刃ブロックの分解斜視図である。
【図２２】同上のヘッドケースブロックの分解斜視図である。
【図２３】同上の後ハウジングを外した状態の背面図である。
【図２４】同上の全体の分解斜視図である。
【図２５】（ａ）（ｂ）は同上の電気かみそりを掴み持ちしている状態の説明図である。
【図２６】（ａ）（ｂ）は同上の電気かみそりを挟み持ちしている状態の説明図である。
【図２７】（ａ）（ｂ）同上の電気かみそりの掴み持ちの作用を説明する説明図である。
【符号の説明】
１　ボディ本体部
２　く字状頂点
３　ヘッド部
４　外刃
５　内刃
６　毛剃り刃
【図１】
2004073816.tif 000003
【図２】
2004073816.tif 000004
【図３】
2004073816.tif 000005
【図４】
2004073816.tif 000006
【図５】
2004073816.tif 000007
【図６】
2004073816.tif 000008
【図７】
2004073816.tif 000009
【図８】
2004073816.tif 000010
【図９】
2004073816.tif 000011
【図１０】
2004073816.tif 000012
【図１１】
2004073816.tif 000013
【図１２】
2004073816.tif 000014
【図１３】
2004073816.tif 000015
【図１４】
2004073816.tif 000016
【図１５】
2004073816.tif 000017
【図１６】
2004073816.tif 000018
【図１７】
2004073816.tif 000019
【図１８】
2004073816.tif 000020
【図１９】
2004073816.tif 000021
【図２０】
2004073816.tif 000022
【図２１】
2004073816.tif 000023
【図２２】
2004073816.tif 000024
【図２３】
2004073816.tif 000025
【図２４】
2004073816.tif 000026
【図２５】
2004073816.tif 000027
【図２６】
2004073816.tif 000028
【図２７】
2004073816.tif 000029